(57)【要約】【課題】冷媒に応じて適切な制御設定をユーザーが円滑に行うことができる冷凍装置を提供すること。【解決手段】冷凍装置１は、圧縮機２，３，４、凝縮器５、膨張弁６及び蒸発器７を有する冷凍サイクル８と、この冷凍サイクル８を循環する冷媒の圧力に対する露点データ及び沸点データ等の制御データを、複数の冷媒に関して記憶する記憶部９と、複数の冷媒の中のいずれかを選択するための操作部１０と、この記憶部９に記憶された制御データのうち、前記操作部１０により選択された冷媒に関する制御データを用いて冷凍サイクルを制御する制御装置１１とを備え、冷凍サイクルに新規に封入する冷媒や既に冷凍サイクルに封入されている冷媒がどんな種類の冷媒かを表示する表示装置１７を具備する。【選択図】図１
2020173060.tif 000002
【特許請求の範囲】
【請求項１】
圧縮機、凝縮器、膨張部及び蒸発器を有する冷凍サイクルと、この冷凍サイクルを循環する冷媒の圧力に対する露点データ及び沸点データ等の制御データを、複数の冷媒に関して記憶する記憶部と、複数の冷媒の中のいずれかを選択するための操作部と、この記憶部に記憶された制御データのうち、前記操作部により選択された冷媒に関する制御データを用いて冷凍サイクルを制御する制御装置とを備え、冷凍サイクルに新規に封入する冷媒や既に冷凍サイクルに封入されている冷媒がどんな種類の冷媒かを表示する表示装置を具備した冷凍装置。
【請求項２】
前記表示装置は、冷凍サイクルに新規に封入する冷媒や既に冷凍サイクルに封入されている冷媒がどんな種類の冷媒かを定期的に表示するようにした請求項１に記載の冷凍装置。
【請求項３】
前記表示装置は、冷凍装置の電源投入時から所定時間、定期的に使用冷媒の表示を行うようにした請求項２に記載の冷凍装置。
【請求項４】
前記表示装置は、使用冷媒の設定後は、冷媒の表示をしないようにした請求項１に記載の冷凍装置。
【請求項５】
前記表示装置の近傍に、冷媒の切り替え方法と設定方法を記載した説明部を有する請求項１に記載の冷凍装置。
【発明の詳細な説明】
【技術分野】
【０００１】
本発明は、複数種類の冷媒を使用可能な冷凍装置において、使用冷媒の設定を容易に行えるよう、定期的に使用冷媒を表示可能な冷凍装置に関する。
【背景技術】
【０００２】
一般的な冷凍装置は、使用可能な一種類の冷媒が指定され、封入されているのが通常であり、実質的に一種類の冷媒を使用し続けている。
【０００３】
一方、近年、冷凍装置の冷媒として、ＧＷＰ（地球温暖化係数）が低い冷媒を使用することが要求されている。冷媒を製造する冷媒メーカーは、各々冷媒の開発を進めており、多数の冷媒が存在する。
【０００４】
ここで、予め決められた一種類の冷媒だけでなく、冷凍装置のユーザーが希望する冷媒を使用できれば利便性が高まる。特許文献１には、予め複数の冷媒に応じた制御データが記憶され、これら複数の制御データのうち使用する冷媒に応じた制御データを用いて冷凍サイクルを制御する、冷凍装置が開示されている。具体的には、冷凍装置は、第１の冷媒が使用される場合、当該第１の冷媒用の第１の制御データを読み出し、当該第１の制御データに基づいて、圧縮機の回転数及び膨張弁の開度を制御する。これに対して、冷凍装置は、第２の冷媒が使用される場合、当該第２の冷媒用の第２の制御データを読み出し、当該第２の制御データに基づいて、圧縮機の回転数及び膨張弁の開度を制御する。
【先行技術文献】
【特許文献】
【０００５】
【特許文献１】特開平６−１９３９８１号公報
【発明の概要】
【発明が解決しようとする課題】
【０００６】
特許文献１に開示されているように、予め複数の冷媒に応じた制御データが記憶され、これら複数の制御データのうち使用する冷媒に応じた制御データを用いて冷凍サイクルを制御する、冷凍装置によれば、例えば冷媒を異なる種類の冷媒に交換した場合でも、その冷媒に適した冷凍サイクルの制御を行うことができると考えられる。
【０００７】
しかしながら、近年、様々な物性の冷媒が開発されており、予めそれらの冷媒に適した制御データを複数用意し、該当する制御データを選択することによって制御することが考えられる。ここで、制御装置により使用冷媒に対する設定或いは切り替えが必要となるが、新規に封入しようとする冷媒や、既に冷凍装置に封入されている冷媒がどんな種類のものか分析、確認する必要があり、作業が煩雑になっていた。
【０００８】
本発明は、以上の点に鑑みてなされたものであり、制御装置により使用冷媒に対する設定或いは切り替えを行う場合、冷凍装置に新規に封入しようとする冷媒や既に冷凍装置に封入されている冷媒を表示することにより、使用冷媒或いは封入冷媒がどんな種類のものかを事前に確認可能とし、冷媒に適した制御データの設定が容易に行える冷凍装置を提供することを目的とする。
【課題を解決するための手段】
【０００９】
本発明の冷凍装置の態様としては、
圧縮機、凝縮器、膨張部及び蒸発器を有する冷凍サイクルと、この冷凍サイクルを循環
する冷媒の種類を表示する表示装置を備える。
【発明の効果】
【００１０】
本発明によれば、冷媒毎の露点データや沸点データ等の制御データを記憶した記憶部を有する制御装置により使用冷媒に対する設定或いは切り替えを行う場合、冷凍装置に新規に封入しようとする冷媒や既に冷凍装置に封入されている冷媒を表示装置にて事前に確認することができ、冷媒に適した制御データの設定が容易に行え、サービス性や信頼性に優れた冷凍装置を提供できる。
【図面の簡単な説明】
【００１１】
【図１】図１は本発明を適用した冷凍装置の構成を示す概略図。
【図２】図２は本発明を適用した表示装置の状態を示す説明図。
【発明を実施するための形態】
【００１２】
＜１＞本開示に至った経緯
実施の形態を説明する前に、本発明に至った経緯について説明する。
【００１３】
本発明者らは、昨今、環境に適した種々の冷媒、即ち、Ｒ４０４Ａ、Ｒ４４８Ａ、Ｒ４４９Ａ、Ｒ４０７Ｈ等が開発、使用されており、これら冷媒毎の露点データや沸点データ等の制御データは異なるため、冷媒に応じて制御設定を変更する必要があった。制御データは、制御装置に記憶した記憶部に予め使用冷媒毎に設定されているため、冷媒が変わるとこれら制御データの設定を変更しなければならない。ここで、例えば、冷凍装置にどのような冷媒が封入しているか分らない場合、冷媒の確認作業が必要とり、設定、変更作業が煩雑となっていた。従い、予め、封入冷媒が判明していれば、斯かる作業が効率的に行え、冷媒に適した制御データの設定作業が容易に行え、サービス性や信頼性に優れた冷凍装置を提供できる。
【００１４】
ここで、制御データは、冷媒毎の露点データや沸点データとして記憶部に記憶されており、Ｒ４０４Ａ、Ｒ４４８Ａ、Ｒ４４９Ａ、Ｒ４０７Ｈの４種類が設定されている。
【００１５】
具体的には、本実施の形態の冷凍装置は、Ｒ４４８Ａ、Ｒ４４９Ａ、Ｒ４０７Ｈのような沸点と露点の温度が異なる冷媒を用いる場合には、以下の（１）、（２）の制御を行う。
（１）低圧側つまり圧縮機の吸入側では露点データを用いる。そして、露点データに基づいて、温度表示、圧縮機の圧力設定、及び、異常判定（液戻り判定など）を行う。これにより、冷却の制御及び液戻り警報判定などを適正に行うことができるようになる。
（２）高圧側つまり圧縮機の吐出側では沸点データを用いる。そして、沸点データに基づいて、温度表示、及び、異常判定（高温高圧異常など）を行う。これにより、圧縮機の吐出側における、温度表示及び高温高圧異常判定を適正に行うことができるようになる。特に、高圧側（圧縮機の吐出側）では沸点データに基づいて温度換算を行うと、凝縮温度表示が適正になる。
【００１６】
そして、上記した露点データ及び沸点データの制御データを、複数の冷媒に関して記憶する記憶部と、複数の冷媒の中のいずれかを選択するための操作部と、前期記憶部に記憶された制御データのうち、前記操作部により選択された冷媒に関する制御データを用いて冷凍サイクルを制御するようにした制御装置と、冷凍サイクルに新規に封入する冷媒や既に冷凍サイクルに封入されている冷媒がどんな種類の冷媒かを表示する表示装置とを具備したことにより、冷凍装置に封入されている冷媒を表示装置にて事前に確認することができるようにしている。
【００１７】
＜２＞実施の形態
以下、本発明の実施の形態を、図面を参照して説明する。
【００１８】
図１は、本発明を適用した冷凍装置１の構成を示す概略図である。なお、図１は本発明を適用した形態の一例であって、本発明の形態は図１に限らない。
【００１９】
冷凍装置１は、複数台の圧縮機２、３、４（圧縮機２と３は定速駆動型、４はインバータ駆動型）、凝縮器５、膨張弁６及び蒸発器７を有する冷凍サイクル８とからなり、この冷凍サイクル８を循環する冷媒の圧力に対する露点データ及び沸点データからなる制御データを、複数の冷媒に関して記憶する記憶部９と、複数の冷媒の中のいずれかを選択するための操作部１０と、この記憶部９に記憶された制御データのうち、前記操作部１０により選択された冷媒に関する制御データを用いて冷凍サイクル８を制御する制御装置１１とからなる。この制御装置１１は、冷凍サイクル８の低圧側配管に設置された低圧センサー１２や、高圧側配管に設置された高圧センサー１３からの信号により、圧縮機２，３，４の発停や容量制御を行うことにより、蒸発器７の温度制御を行っている。そして、冷凍装置１を構成する圧縮機２，３，４や制御装置１１はラックでユニット化され、例えば室外に設置される一方、蒸発器７は、冷凍冷蔵ショーケース（図示せず）に格納され、例えばコンビニエンスストアやスーパーマーケットなどの店舗の室内に設置される。
【００２０】
冷凍装置１は、圧縮機２，３と、圧縮機４に電力を供給するインバーター１４と、凝縮器５と、制御部１５と、操作部１０と、記憶部９と、警報部１６と、表示装置１７と、を有する。これにより、冷凍装置１は、制御部１５によってインバーター１４のインバーター周波数を制御することにより、圧縮機４の出力ひいては冷却能力を細かく調整することができるように構成されている。
【００２１】
制御装置１１の記憶部９には、各冷媒についての、圧力に対する露点データ及び沸点データが記憶されている。
【００２２】
警報部１６は、冷媒の異常を判定し警報を出力する。警報部１６は、圧縮機２，３，４の吸入管における冷媒の液バック及び過熱を判定し、判定結果に応じて警報を出力する。また、警報部１６は、圧縮機２，３，４から吐出される冷媒の高温高圧異常を判定し、判定結果に応じて警報を出力する。
【００２３】
警報部１６は、圧縮機２，３，４の冷媒の吸入側の警報判定時には、記憶部９から冷媒の圧力に対する露点データを読み出し、これを用いて警報判定を行う。一方、警報部１６は、圧縮機２，３，４の冷媒の吐出側の警報判定時には、記憶部９から冷媒の圧力に対する沸点データを読み出し、これを用いて警報判定を行う。
【００２４】
表示装置１７は、例えば、高圧側（圧縮機の吐出側）の凝縮温度を、沸点データを用いて温度換算して求めて表示する。これにより、適正な凝縮温度を表示できるようになる。
【００２５】
表示装置１７の構成は、７セグＬＥＤの表示機能を有し、使用冷媒と制御装置１１の設定冷媒の切替を、ユーザーに円滑、速やかに実施してもらうよう促すために、定期的に現在の設定冷媒を表示する。
【００２６】
具体的には、図２の1)に示すように、電源投入時には、バージョン情報（Ｖｅｒ；Ａ１．００）を1秒表示した後、現在使用している設定冷媒（ｒ４４８）を1秒表示し、選択モード（ＳＥＬＥ）を１秒表示し、（ＣＴ）を１秒表示した後、設定冷媒を２０秒間表示する。これは、本来は、ＳＥＬＥＣＴと一括表示したいが、実施例では７セグLEDのため、４桁表示となり、２回に分けて表示する仕様となるためである。勿論、７セグＬＥＤが６
桁表示であれば、ＳＥＬＥＣＴと一括表示できる。
【００２７】
次に、2)に移行し、通常表示となり、例えば、低圧圧力（０．５５０）と高圧圧力（２．１０Ｈ）を繰り返し表示する。
【００２８】
そして、3)に示すように、低圧圧力（０．５５０）と高圧圧力（２．１０Ｈ）の表示から、１０分間隔で、4)の冷媒表示（ｒ４４８→ＳＥＬＥ→ＣＴ）を行い、１０分経過後には、再び、通常表示に戻り、低圧圧力（０．５５０）と高圧圧力（２．１０Ｈ）の表示となる。
【００２９】
また、制御装置１１は、表示装置１７の表示について、使用冷媒の設定合致後は、冷媒の表示をしないようにも設定できるようになっている。表示させない具体的な方法は、例えば、７セグLEDとロータリースイッチで、設定モードを準備し、表示は、ＤＩＳＰ⇔ＮＯＤＩＳＰ等、アップダウンスイッチによって切換選択することが考えられる。表示させない目的は、使用冷媒選択が確定(合致)後は、表示は不要と考えるユーザーについては、表示なしに設定できるようにするためである。
その後は冷媒表示をさせないことが可能となり、ユーザーの利便性を高めている。
【００３０】
更に、表示装置１７の近傍には、冷媒の切り替え方法と設定方法を記載した説明部１８を設けており、ユーザーの作業性、利便性を高めている。
説明部１８には、例えば、R448A冷媒の設定方法や冷媒非表示方法の説明が記載されている。例えば、７セグLEDとロータリースイッチで、設定モードを準備し、表示は、r404 / r448 / r449 / r407  としてアップダウンスイッチで、どれかを選択し、冷媒を確定させる。
【００３１】
以上説明したように、本実施の形態によれば、設定冷媒を定期的に表示する表示装置１７を設けたので、使用冷媒と制御装置１１の設定冷媒の切替を、ユーザーに円滑、速やかに実施してもらうよう促すことができる。
【００３２】
上述の実施の形態は、本発明を実施するにあたっての具体化の一例を示したものに過ぎず、これらによって本開示の技術的範囲が限定的に解釈されてはならないものである。すなわち、本発明はその要旨、またはその主要な特徴から逸脱することの無い範囲で、様々な形で実施することができる。
【００３３】
上述の実施の形態では、冷媒として、Ｒ４０４Ａ、Ｒ４４８Ａ、Ｒ４４９Ａ、Ｒ４０７Ｈを用いた場合について述べたが、勿論、用いることができる冷媒はこれに限らない。
【産業上の利用可能性】
【００３４】
本発明は、冷媒に応じて適切な制御を行うためのユーザー設定作業を円滑することができるといった効果を有し、冷媒を交換可能な冷凍装置に好適である。
【符号の説明】
【００３５】
１    冷凍装置
２，３，４  圧縮機
５    凝縮器
６    膨張弁
７    蒸発器
８    冷凍サイクル
９    記憶部
１０  操作部
１１  制御装置
１２  低圧センサー
１３  高圧センサー
１４  インバーター
１５  制御部
１６  警報部
１７  表示装置
【図１】
2020173060.tif 000003
【図２】
2020173060.tif 000004